(57)【要約】  【課題】使用者が容易に保護部材をラベル本体に対し所望の位置に貼付することができる、ラベル本体とその保護部材とを有するラベルシートの提供。  【解決手段】表面に情報記録可能なシート状の情報記録用基材と、前記情報記録用基材の裏面側に積層された第一の粘着剤層と、前記第一の粘着剤層の裏面側に積層された、前記第一の粘着剤層とのはく離性を有するシート状の透明基材と、前記透明基材の裏面側に積層された第二の粘着剤層と、前記第二の粘着剤層の裏面側に積層された、前記第二の粘着剤層とのはく離性を有するシート状のはく離基材とを具備し、前記情報記録用基材と、前記第一の粘着剤層と、前記透明基材と、前記第二の粘着剤層とに、閉曲線状の第一の切れ目が貫通して設けられており、前記第一の切れ目の内部において、前記情報記録用基材と、前記第一の粘着剤層とに、閉曲線状の第二の切れ目が貫通して設けられている、ラベルシート。【選択図】図１
2005181797.tif 000002
【特許請求の範囲】
【請求項１】
表面に情報記録可能なシート状の情報記録用基材と、
前記情報記録用基材の裏面側に積層された第一の粘着剤層と、
前記第一の粘着剤層の裏面側に積層された、前記第一の粘着剤層とのはく離性を有するシート状の透明基材と、
前記透明基材の裏面側に積層された第二の粘着剤層と、
前記第二の粘着剤層の裏面側に積層された、前記第二の粘着剤層とのはく離性を有するシート状のはく離基材と
を具備し、
前記情報記録用基材と、前記第一の粘着剤層と、前記透明基材と、前記第二の粘着剤層とに、閉曲線状の第一の切れ目が貫通して設けられており、
前記第一の切れ目の内部において、前記情報記録用基材と、前記第一の粘着剤層とに、閉曲線状の第二の切れ目が貫通して設けられている、ラベルシート。
【発明の詳細な説明】
【技術分野】
【０００１】
本発明は、ラベル本体とその保護部材とを有するラベルシートに関する。
【背景技術】
【０００２】
従来、ラベルの印刷面の保護等のために、粘着剤層を有する透明フィルム等からなり、ラベルよりもやや面積が大きい保護部材をラベル全体を被覆するように貼付することが行われている。
しかしながら、使用者が保護部材をラベルに対し所望の位置に貼付することは、困難であり、例えば、ラベルと保護部材の中心や方向が揃わなかったり、場合によってはラベルが保護部材からはみ出てしまったりすることがあった。
【発明の開示】
【発明が解決しようとする課題】
【０００３】
そこで、本発明は、使用者が容易に保護部材をラベル本体に対し所望の位置に貼付することができる、ラベル本体とその保護部材とを有するラベルシートを提供することを課題とする。
【課題を解決するための手段】
【０００４】
即ち、本発明は、表面に情報記録可能なシート状の情報記録用基材と、
前記情報記録用基材の裏面側に積層された第一の粘着剤層と、
前記第一の粘着剤層の裏面側に積層された、前記第一の粘着剤層とのはく離性を有するシート状の透明基材と、
前記透明基材の裏面側に積層された第二の粘着剤層と、
前記第二の粘着剤層の裏面側に積層された、前記第二の粘着剤層とのはく離性を有するシート状のはく離基材と
を具備し、
前記情報記録用基材と、前記第一の粘着剤層と、前記透明基材と、前記第二の粘着剤層とに、閉曲線状の第一の切れ目が貫通して設けられており、
前記第一の切れ目の内部において、前記情報記録用基材と、前記第一の粘着剤層とに、閉曲線状の第二の切れ目が貫通して設けられている、ラベルシートを提供する。
【発明の効果】
【０００５】
本発明のラベルシートを用いれば、使用者が保護部材をラベル本体に対し所望の位置に貼付することができる。
【発明を実施するための最良の形態】
【０００６】
以下、本発明のラベルシートについて、添付の図面に示される好適実施形態を基に、説明する。ただし、本発明はこの実施形態に限定されない。
図１は、本発明のラベルシートの一実施形態の模式図である。図１（Ａ）は平面図であり、図１（Ｂ）は図１（Ａ）中のＩＢ−ＩＢ線に沿った断面図である。
図１に示されるラベルシート１０は、シート状の情報記録用基材１２と、情報記録用基材１２の裏面側に積層された第一の粘着剤層１４と、第一の粘着剤層１４の裏面側に積層されたシート状の透明基材１６と、透明基材１６の裏面側に積層された第二の粘着剤層１８と、第二の粘着剤層１８の裏面側に積層されたシート状のはく離基材２０とを具備する。なお、図１（Ｂ）においては、理解を容易にするため、第一の粘着剤層１４と透明基材１６との間、および、第二の粘着剤層１８とはく離基材２０との間を離間させて図示しているが、実際にはいずれも接触している（以下、各図において同様である。）。
【０００７】
情報記録用基材１２は、シート状であり、表面に情報記録をすることができる。情報記録の方法は、特に限定されず、例えば、インクジェット印刷等の印刷；ペン、鉛筆等を用いた手書きが挙げられる。情報記録用基材１２の材質は、表面に情報記録をすることができるものであれば特に限定されず、例えば、紙（例えば、インクジェット印刷用紙）、プラスチック、金属、これらの複合体が挙げられる。
【０００８】
情報記録用基材１２の裏面側には、第一の粘着剤層１４が積層されている。第一の粘着剤層１４の材質は、後述する透明基材１６とのはく離性を有するものであれば特に限定されず、従来公知の粘着剤を用いることができる。第一の粘着剤層１４は、情報記録用基材１２の裏面の全部に積層されていてもよく、一部に積層されていてもよい。
【０００９】
第一の粘着剤層１４の裏面側には、透明基材１６が積層されている。透明基材１６は、シート状であり、透明または半透明である。後述するように、透明基材１６は、使用時に、ラベル本体を構成する情報記録用基材１２の表面側に貼付されて、情報記録用基材１２に記録された情報（例えば、印刷された文字）をそれを通じて見ることができるような状態で、情報記録用基材１２を保護する。
透明基材１６の材質は、使用時に情報記録用基材１２に記録された情報を見ることができるように、透明または半透明であり、かつ、第一の粘着剤層１４とのはく離性を有するものであれば特に限定されない。例えば、透明または半透明のプラスチックが挙げられる。具体的には、透明または半透明のプラスチックフィルムが挙げられる。
透明基材１６の表面は、第一の粘着剤層１４との優れたはく離性を得るため、シリコーン処理等の離型剤による処理が施されているのが好ましい。
透明基材１６は、使用時に、情報記録用基材１２の上に貼付されて保護部材となる。したがって、透明基材１６の表面に印刷しておいたり、透明基材１６自体として着色したものおよび／または模様を有するものを用いることにより、使用時に情報を保持させることができる。
【００１０】
透明基材１６の裏面側には、第二の粘着剤層１８が積層されている。第二の粘着剤層１８の材質は、使用時に情報記録用基材１２に記録された情報を見ることができるように、透明または半透明であり、かつ、後述するはく離基材２０とのはく離性を有するものであれば特に限定されず、従来公知の粘着剤を用いることができる。
第二の粘着剤層１８は、透明基材１６の裏面の全部に積層されていてもよく、一部に積層されていてもよいが、全部に積層されているのが好ましい。第二の粘着剤層１８が透明基材１６の裏面の全部に積層されていると、使用時に、第二の粘着剤層１８の裏面と情報記録用基材１２の表面との間に気泡が入りにくくなり、情報記録用基材１２に記録された情報が見やすくなる。
【００１１】
第二の粘着剤層１８の裏面側には、シート状のはく離基材２０が積層されている。はく離基材２０の材質は、第二の粘着剤層１８とのはく離性を有するものであれば特に限定されず、従来公知のものを用いることができる。例えば、フィルム、フィルムをラミネート加工した紙、離型剤で処理されたフィルムまたは紙が挙げられる。
はく離基材２０の表面は、平滑であるのが好ましい。これにより、第二の粘着剤層１８の裏面側が平滑となり、透明基材１６および第二の粘着剤層１８の全体の透明度を損ねることを防ぐことができるため、使用時に、情報記録用基材１２に記録された情報が見やすくなる。
【００１２】
ラベルシート１０においては、図１に示されているように、情報記録用基材１２と、第一の粘着剤層１４と、透明基材１６と、第二の粘着剤層１８とに、閉曲線状の第一の切れ目２２が貫通して設けられており、第一の切れ目２２の内部において、情報記録用基材１２と、第一の粘着剤層１４とに、閉曲線状の第二の切れ目２４が貫通して設けられている。なお、図１においては、理解を容易にするため、第一の切れ目２２および第二の切れ目２４の幅を模式的に拡大して図示しているが（以下、各図において同様である。）、実際には幅がなく両側の部材が接触していてもよい。
【００１３】
第一の切れ目２２および第二の切れ目２４は、閉曲線状であればその形状は特に限定されない。例えば、図１に示されるような略長方形状とすることができる。第一の切れ目２２の形状と第二の切れ目２４の形状とは、相似形であってもよく、相似形以外であってもよい。
第一の切れ目２２と第二の切れ目２４との位置関係は、特に限定されないが、図１に示されているように、形状が略長方形状である場合において、その上辺同士の間隔と下辺同士の間隔が等しく、左辺同士の間隔と右辺同士の間隔が等しいのは好ましい態様の一つである。この場合、使用時に、ラベル本体の周囲の保護部材の幅が上下および左右でそれぞれ等しくなる。
また、第一の切れ目２２および第二の切れ目２４は、切れ目の両側をはく離させることができるようなものであれば特に限定されない。例えば、図示されるような連続状のものであってもよく、ミシン目のように不連続状のものであってもよい。
【００１４】
第一の切れ目２２および第二の切れ目２４により、情報記録用基材１２は、使用時にラベル本体となる内部領域１２ａと、中間領域１２ｂと、外部領域１２ｃとに分離されている。第一の切れ目２２および第二の切れ目２４により、第一の粘着剤層１４は、使用時にラベル本体の粘着剤層となる内部領域１４ａと、中間領域１４ｂと、外部領域１４ｃとに分離されている。
また、第一の切れ目２２により、透明基材１６は、使用時に保護部材となる内部領域１６ａと、外部領域１６ｂとに分離されている。第一の切れ目２２により、第二の粘着剤層１８は、使用時に保護部材の粘着剤層となる内部領域１８ａと、外部領域１８ｂとに分離されている。
【００１５】
以下、本発明のラベルシートの使用方法について説明する。図２〜図９は、本発明のラベルシートの使用方法の説明図である。また、図２〜図８において、図（Ａ）は平面図であり、図（Ｂ）は図（Ａ）中の各線に沿った断面図である。
【００１６】
まず、図１に示されているラベルシート１０から、第二の切れ目２４に沿って、図２に示される情報記録用基材１２の内部領域１２ａおよび第一の粘着剤層１４の内部領域１４ａをはく離させ、図３に示されるように、第一の粘着剤層１４の内部領域１４ａが被着体２６側になるように、被着体２６に貼付する。これにより、第一の粘着剤層１４の内部領域１４ａが被着体２６の表面に粘着して、情報記録用基材１２の内部領域１２ａが固定される。
【００１７】
一方、ラベルシート１０から情報記録用基材１２の内部領域１２ａおよび第一の粘着剤層１４の内部領域１４ａをはく離させた後は、図４に示した状態となっている。
【００１８】
ついで、図４に示されている状態から、第一の切れ目２２に沿って、図５に示される、情報記録用基材１２の中間領域１２ｂおよび第一の粘着剤層１４の中間領域１４ｂと、透明基材１６の内部領域１６ａおよび第二の粘着剤層１８の中間領域１８ａとを、一体的にはく離させ、図６に示されるように、ラベル本体を構成する情報記録用基材１２の内部領域１２ａの上から、第二の粘着剤層１８の内部領域１８ａが被着体２６側になるように、被着体２６に貼付する。
【００１９】
この際、図９に示されるように、使用者は、情報記録用基材１２の中間領域１２ｂの内側の閉曲線が、情報記録用基材１２の内部領域１２ａの外周の閉曲線に略一致するように、透明基材１６の内部領域１６ａおよび第二の粘着剤層１８の中間領域１８ａを通して見ながら貼付することができる。したがって、情報記録用基材１２の内部領域１２ａが構成するラベル本体と、透明基材１６の内部領域１６ａが構成する保護部材とを、所望の適切な位置関係で貼付することは、使用者にとって極めて容易である。
【００２０】
これにより、第二の粘着剤層１８の内部領域１８ａの外周部が被着体２６の表面に粘着し、その内側が情報記録用基材１２の内部領域１２ａの表面に粘着して、透明基材１６の内部領域１６ａが固定される。
【００２１】
なお、図４に示されている状態から、図５に示される、情報記録用基材１２の中間領域１２ｂおよび第一の粘着剤層１４の中間領域１４ｂと、透明基材１６の内部領域１６ａおよび第二の粘着剤層１８の中間領域１８ａとを一体的にはく離させた後は、図７に示される状態となる。
【００２２】
最後に、図６に示されている状態から、情報記録用基材１２の中間領域１２ｂおよび第一の粘着剤層１４の中間領域１４ｂをはく離させて、図８に示される状態とする。図８に示される状態においては、情報記録用基材１２の内部領域１２ａがラベル本体を構成し、透明基材１６の内部領域１６ａが保護部材を構成している。そして、ラベル本体の全体を保護部材が被覆しており、かつ、ラベル本体と保護部材との位置関係が適切なものとなっている。
【００２３】
本発明のラベルシートの製造方法は特に限定されない。例えば、情報記録用基材１２と第一の粘着剤層１４と透明基材１６と第二の粘着剤層１８とはく離基材２０とをこの順に積層してなるシート状物に、第一の切れ目２２と第二の切れ目２４とを従来公知の方法により設けることにより、本発明のラベルシート１０を得ることができる。第一の切れ目２２と第二の切れ目２４とは、同時に設けてもよく、別々に設けてもよいが、製造効率の点で、同時に設けるのが好ましい。
【００２４】
以上、本発明の好適な実施態様であるラベルシートについて説明したが、本発明は、以上の例には限定されず、本発明の要旨を逸脱しない範囲において、各種の改良や変更を行ってもよい。
例えば、図１のラベルシート１０は、１枚のラベル本体を有するものであるが、本発明はこれに限定されず、複数枚のラベル本体を有するものであってもよい。
【図面の簡単な説明】
【００２５】
【図１】本発明のラベルシートの一実施形態の模式図である。
【図２】本発明のラベルシートの使用方法の説明図である。
【図３】本発明のラベルシートの使用方法の説明図である。
【図４】本発明のラベルシートの使用方法の説明図である。
【図５】本発明のラベルシートの使用方法の説明図である。
【図６】本発明のラベルシートの使用方法の説明図である。
【図７】本発明のラベルシートの使用方法の説明図である。
【図８】本発明のラベルシートの使用方法の説明図である。
【図９】本発明のラベルシートの使用方法の説明図である。
【符号の説明】
【００２６】
１０  ラベルシート
１２  情報記録用基材
１２ａ  情報記録用基材１２の内部領域
１２ｂ  情報記録用基材１２の中間領域
１２ｃ  情報記録用基材１２の外部領域
１４  第一の粘着剤層
１４ａ  第一の粘着剤層１４の内部領域
１４ｂ  第一の粘着剤層１４の中間領域
１４ｃ  第一の粘着剤層１４の外部領域
１６  透明基材
１６ａ  透明基材１６の内部領域
１６ｂ  透明基材１６の外部領域
１８  第二の粘着剤層
１８ａ  第二の粘着剤層１８の内部領域
１８ｂ  第二の粘着剤層１８の外部領域
２０  はく離基材
２２  第一の切れ目
２４  第二の切れ目
２６  被着体
【図１】
2005181797.tif 000003
【図２】
2005181797.tif 000004
【図３】
2005181797.tif 000005
【図４】
2005181797.tif 000006
【図５】
2005181797.tif 000007
【図６】
2005181797.tif 000008
【図７】
2005181797.tif 000009
【図８】
2005181797.tif 000010
【図９】
2005181797.tif 000011